(57)【要約】【課題】ユーザーに違和感を感じさせることなく、希望に則した運転を可能とする。【解決手段】通常運転モードの実行中かつ切タイマ機能の実行中に、特殊運転モードへの変更を受け付け、該特殊運転モードを実行するとともに切タイマ機能を継続し、切タイマ機能による停止時間（Ｔ２）が経過した時点で、特殊運転モードの実行時間（Ｔ１）が経過していない場合、該実行時間（Ｔ１）が経過するまで特殊運転モードを実行する。また、特殊運転モードの実行中かつ切タイマ機能の実行中に、特殊運転モードの実行時間（Ｔ１）が経過した時点で、切タイマ機能による停止時間（Ｔ２）が経過していない場合、特殊運転モードの実行前の他のモードを停止時間（Ｔ２）が経過するまで実行する。【選択図】  図９
2004354018.tif 000002
【特許請求の範囲】
【請求項１】
スイッチ操作により停止されるまで所定の空調動作を連続的に実行する通常運転モードや、予め設定された実行時間（Ｔ１）のみ空調動作を行う特殊運転モードなどの２以上の運転モードを備えるとともに、前記通常運転モードを所定時間経過すると停止させるための切タイマ機能を備えた空気調和機において、
前記通常運転モードの実行中かつ切タイマ機能の実行中に、前記特殊運転モードへの変更を受け付け、該特殊運転モードを実行するとともに前記切タイマ機能を継続し、前記切タイマ機能による停止時間（Ｔ２）が経過した時点で、前記特殊運転モードの実行時間（Ｔ１）が経過していない場合、該実行時間（Ｔ１）が経過するまで前記特殊運転モードを実行するようにしたことを特徴とする空気調和機。
【請求項２】
スイッチ操作により停止されるまで所定の空調動作を連続的に実行する通常運転モードや、予め設定された実行時間（Ｔ１）のみ空調動作を行う特殊運転モードなどの２以上の運転モードを備えるとともに、前記通常運転モードを所定時間経過すると停止させるための切タイマ機能を備えた空気調和機において、
前記特殊運転モードの実行中かつ前記切タイマ機能の実行中に、前記特殊運転モードの実行時間（Ｔ１）が経過した時点で、前記切タイマ機能による停止時間（Ｔ２）が経過していない場合、該停止時間（Ｔ２）が経過するまで前記特殊運転モードを実行するようにしたことを特徴とする空気調和機。
【請求項３】
スイッチ操作により停止されるまで所定の空調動作を連続的に実行する通常運転モードや、予め設定された実行時間（Ｔ１）のみ空調動作を行う特殊運転モードなどの２以上の運転モードを備えるとともに、前記通常運転モードを所定時間経過すると停止させるための切タイマ機能を備えた空気調和機において、
前記特殊運転モードの実行中かつ前記切タイマ機能の実行中に、前記特殊運転モードの実行時間（Ｔ１）が経過した時点で、前記切タイマ機能による停止時間（Ｔ２）が経過していない場合、前記特殊運転モードの実行前の他のモードを前記停止時間（Ｔ２）が経過するまで実行するようにしたことを特徴とする空気調和機。
【請求項４】
前記特殊運転モードの実行前が待機モードの場合、前記停止時間（Ｔ２）が経過するまで前記通常運転モードを実行するようにしたことを特徴とする請求項３に記載の空気調和機。
【請求項５】
前記通常運転モードを実行するためのスイッチと、前記特殊運転モードを実行するためのスイッチとを、それぞれ専用に設け、前記切タイマ機能を実行していない状態で、各スイッチを操作することによりそれぞれ動作を実行および停止できるようにしたことを特徴とする請求項１乃至請求項４のいずれか１項に記載の空気調和機。
【請求項６】
前記特殊運転モードを実行するための専用のスイッチを設け、該スイッチの操作による特殊運転モードを実行中に、再び前記スイッチが操作されると、特殊運転モードの実行時間（Ｔ１）を最初からカウントするようにしたことを特徴とする請求項１乃至請求項４のいずれか１項に記載の空気調和機。
【発明の詳細な説明】
【０００１】
【発明の属する技術分野】
本発明は、空気清浄機、除湿機および加湿機などの空気調和機に関するものである。
【０００２】
【従来の技術】
この種の空気調和機のうち、空気清浄機は、室内の空気を吸引して内部でフィルタなどによって清浄した後、その清浄空気を再び室内に循環供給するものである。また、除湿機は、室内の空気を吸引して内部で吸引した空気に含まれる水分を取り除き、除湿した乾燥空気を再び室内に循環供給するものである。また、加湿機は、給水された水を外部に放散して室内の空気を加湿するものである。
【０００３】
これらの空気調和機は、通常の空調動作を連続的に実行する通常運転モードや、予め設定された時間のみ実行する特殊運転モードなど、２以上の運転モードを備えている。また、この種の空気調和機は切タイマ機能を備え、この切タイマ機能を通常運転モードの実行中に選択することにより、この通常運転をユーザーが設定した時間、または、予め設定された停止時間が経過すると停止できるように構成されている。
【０００４】
なお、前記通常運転モードとして、前記空気清浄機では、ファンを標準回転数で動作させる標準運転、ファンを低速の回転数で動作させる静音運転を有する。一方、前記特殊運転モードとしては、ファンを高速の回転数で動作させるターボ運転などを有する。また、除湿機では、同様に、前記通常運転モードとして、ファンを標準回転数で動作させる標準運転、ファンを低速の回転数で動作させる静音（おやすみ）運転を有する。一方、前記特殊運転モードとしては、ファンを高速の回転数で動作させて衣類などを乾燥させるため速乾運転などを有する。
【０００５】
このような特殊運転モードを搭載した本発明の空気調和機に関連する先行技術文献情報としては次のものがある。
【０００６】
【特許文献１】
特開平８−１６８６２５号公報
【特許文献２】
特開２００１−１４１２８４号公報
【０００７】
【発明が解決しようとする課題】
しかしながら、前記空気調和機は、切タイマ機能と前記特殊運転モードとを実行している場合には、切タイマ機能が優先されて特殊運転モードの設定された実行時間が経過する前に動作を停止するため、ユーザーに違和感を感じさせるという問題がある。
【０００８】
そこで、本発明では、予め実行時間が設定された特殊運転モードと切タイマ機能とを備えた空気調和機において、ユーザーに違和感を感じさせることなく、希望に則した運転を可能とすることを課題とするものである。
【０００９】
【課題を解決するための手段】
前記課題を解決するため、本発明の第１の空気調和機は、スイッチ操作により停止されるまで所定の空調動作を連続的に実行する通常運転モードや、予め設定された実行時間Ｔ１のみ空調動作を行う特殊運転モードなどの２以上の運転モードを備えるとともに、前記通常運転モードを所定時間経過すると停止させるための切タイマ機能を備えた空気調和機において、前記通常運転モードの実行中かつ切タイマ機能の実行中に、前記特殊運転モードへの変更を受け付け、該特殊運転モードを実行するとともに前記切タイマ機能を継続し、前記切タイマ機能による停止時間Ｔ２が経過した時点で、前記特殊運転モードの実行時間Ｔ１が経過していない場合、該実行時間Ｔ１が経過するまで前記特殊運転モードを実行するように構成している。
【００１０】
また、第２の空気調和機では、スイッチ操作により停止されるまで所定の空調動作を連続的に実行する通常運転モードや、予め設定された実行時間Ｔ１のみ空調動作を行う特殊運転モードなどの２以上の運転モードを備えるとともに、前記通常運転モードを所定時間経過すると停止させるための切タイマ機能を備えた空気調和機において、前記特殊運転モードの実行中かつ前記切タイマ機能の実行中に、前記特殊運転モードの実行時間Ｔ１が経過した時点で、前記切タイマ機能による停止時間Ｔ２が経過していない場合、該停止時間Ｔ２が経過するまで前記特殊運転モードを実行するように構成している。
【００１１】
また、第３の空気調和機では、スイッチ操作により停止されるまで所定の空調動作を連続的に実行する通常運転モードや、予め設定された実行時間Ｔ１のみ空調動作を行う特殊運転モードなどの２以上の運転モードを備えるとともに、前記通常運転モードを所定時間経過すると停止させるための切タイマ機能を備えた空気調和機において、前記特殊運転モードの実行中かつ前記切タイマ機能の実行中に、前記特殊運転モードの実行時間Ｔ１が経過した時点で、前記切タイマ機能による停止時間Ｔ２が経過していない場合、前記特殊運転モードの実行前の他のモードを前記停止時間Ｔ２が経過するまで実行するように構成している。
【００１２】
この第３の空気調和機では、前記特殊運転モードの実行前が待機モードの場合、前記停止時間Ｔ２が経過するまで前記通常運転モードを実行することが好ましい。
【００１３】
これらの空気調和機によれば、動作の実行時間に制限を有する特殊運転モードと、動作の停止時間を設定する切タイマ機能とを実行した場合、後にカウントアップする実行時間または停止時間まで空調動作を実行するため、ユーザーに違和感を感じさせることを防止し、希望に則した実行させることができる。
【００１４】
また、各空気調和機では、前記通常運転モードを実行するためのスイッチと、前記特殊運転モードを実行するためのスイッチとを、それぞれ専用に設け、前記切タイマ機能を実行していない状態で、各スイッチを操作することによりそれぞれ動作を実行および停止できるようにすることが好ましい。このようにすれば、１回のスイッチ操作により迅速に空調動作を開始または停止することができる。
【００１５】
または、前記特殊運転モードを実行するための専用のスイッチを設け、該スイッチの操作による特殊運転モードを実行中に、再び前記スイッチが操作されると、特殊運転モードの実行時間Ｔ１を最初からカウントするようにしてもよい。このようにすれば、空調動作を停止することなく継続して実行することができる。
【００１６】
【発明の実施の形態】
以下、本発明の実施の形態を図面に従って説明する。
図１から図９は、本発明の実施形態に係る空気調和機である空気清浄機１０を示す。この空気清浄機１０は機械集塵式であり、ファン１７を動作させることにより室内に浮遊する粉塵やガスを含んだ空気をケーシング１１内に吸引し、清浄フィルタ１６を通して吸引した空気を清浄した後、その清浄した空気をケーシング１１の外部に循環供給するものである。
【００１７】
前記ケーシング１１は、前後部を開口したベース１２と、該ベース１２の前側開口を遮蔽する前カバー１９と、前記ベース１２の後側開口閉鎖する後カバー２１とからなる。
【００１８】
前記ベース１２は、図４に示すように、前後を仕切る仕切板１３を備えている。この仕切板１３には、多数の通気孔１４が形成されるとともに、ファンを囲繞する略渦形状の隔板１５が一体に設けられている。このベース１２には、前記仕切板１３によって区画された前側に清浄フィルタ１６が配設され、後側にファン１７と、表示基板３１と、回路基板４２とが配設されている。この表示基板３１と対応する正面視で右側上部には表示パネル２４が設けられ、この表示パネル２４と対応する上端面には操作パネル３６が設けられている。即ち、これら表示パネル２４と操作パネル３６とは、直交方向に交わる異なった面に設けられている。また、前記隔板１５には、ファン１７を収容する内部に位置するようにマイナスイオン発生装置１８が配設されている。このマイナスイオン発生装置１８は、マイナス電極とプラス電極とで構成され、電圧の印加により両電極間に介在する空気中の微粒子をマイナスイオン化する周知のものである。
【００１９】
前記前カバー１９は、水平方向に延びるスリットからなる多数の吸込口２０を備えている。この前カバー１９は半透明な樹脂カバーからなり、前記ベース１２の表示パネル２４が透視できるように構成されている。
【００２０】
前記後カバー２１は、前記ベース１２に取り付けることによって、その内面と前記隔板１５とを当接させてこれらの間をシールするものである。この後カバー２１には、後方に膨出する膨出部２２が設けられ、この膨出部２２の上面に前記ベース１２の隔板１５内と連通する吹出口２３が設けられている。
【００２１】
前記表示パネル２４は、図５に示すように、通常運転モードである静音風量動作表示部２５と、通常運転モードである標準風量動作表示部２６と、特殊運転モードであるターボ動作表示部２７と、切タイマ機能が動作中であることを示す切タイマ動作表示部２８と、マイナスイオン発生装置１８が動作中であることを示すマイナスイオン動作表示部２９と、リモコン３９の信号を受信する受信部３０とが設けられている。
【００２２】
前記表示パネル２４の背部に配設される表示基板３１は、受信部３０と対応する受信機３２と、各表示部２５〜２９に対応するＬＥＤ３３ａ〜３３ｅとが配設されるとともに、後述する操作パネル３６に対応する３つのタクトスイッチ３４ａ〜３４ｃを配設したものである。図３に示すように、前記受信機３２およびＬＥＤ３３ａ〜３３ｅは、表示基板３１から鉛直に突出するように設けられている。前記タクトスイッチ３４ａ〜３４ｃは、表示基板３１の延び方向と平行に操作するように配設している。そして、本実施形態では、このタクトスイッチ３４ａ〜３４ｃの前面を位置決めするために、前記ベース１２にリブ３５が突設されている。また、表示基板３１には、制御手段であるマイコンが実装されている。
【００２３】
前記操作パネル３６は、図３および図６に示すように、前記タクトスイッチ３４ａ〜３４ｃと対応する棒状の操作部３７ａ〜３７ｃを備え、その表面に樹脂シート３８を配設したものである。なお、操作部３７ａは選択／切スイッチ、操作部３７ｂはターボ運転の実行スイッチ、操作部３７ｃは切タイマ機能の実行スイッチである。
【００２４】
前記リモコン３９は、図７に示すように、四角柱形状をなすもので、その先端には発信部４０が設けられている。また、その先端から順番に、選択／切スイッチの操作部４１ａは、ターボ運転スイッチの実行スイッチの操作部４１ｂ、切タイマスイッチの操作部４１ｃ、および、マイナスイオンの実行スイッチの操作部４１ｄが設けられている。
【００２５】
なお、本実施形態の操作パネル３６およびリモコン３９には、電源をオンまたはオフするための電源スイッチは設けられていない。
【００２６】
前記表示基板３１に実装されたマイコンは、ユーザーのスイッチ操作に応じて、内蔵したＲＯＭに記憶されたプログラムに従って、通常運転モードである「静音」運転および「標準」運転、または、特殊運転モードであるターボ運転を実行し、空調動作を行う。
【００２７】
ここで、通常運転モードの１つである「静音」運転は、ファン１７を低速の回転数（４００ｒｐｍ）で連続的に動作させる従来と同一のものである。また、通常運転モードの１つである「標準」運転は、標準の回転数（９５０ｒｐｍ）で連続的に動作させる従来と同一のものである。また、特殊運転モードであるターボ運転は、ファン１７を高速の回転数（１１００ｒｐｍ）で動作させるものである。
【００２８】
次に、操作パネル３６の操作部３７ａ〜３７ｃ、または、リモコン３９の操作部４１ａ〜４１ｄを操作することによる制御動作の遷移を説明する。
【００２９】
図８に示すように、マイコンは、待機モードで、選択／切スイッチの操作部３７ａ，４１ａが操作されると、通常運転モードである「静音」運転を実行（オン）し、この「静音」運転の実行中に操作部３７ａ，４１ａが操作されると、通常運転モードである「標準」運転を実行し、この「標準」運転の実行中に操作部３７ａ，４１ａが操作されると、待機モード「切」に遷移する。また、切タイマ機能が実行されてなく、かつ、ターボ運転を実行している状態で、選択／切スイッチの操作部３７ａ，４１ａが操作されると、ターボ運転の動作を停止（オフ）して、待機モードに遷移する。また、切タイマ機能が実行され、かつ、ターボ運転を実行している状態で、選択／切スイッチの操作部３７ａ，４１ａが操作されると、通常運転モードである「静音」運転を実行するように遷移する。
【００３０】
また、待機モードまたは通常運転の実行中に、ターボ運転スイッチの操作部３７ｂ，４１ｂが操作されると、特殊運転モードであるターボ運転モードを実行する。また、切タイマ機能が実行されてなく、かつ、ターボ運転を実行している状態で、ターボ運転スイッチの操作部３７ｂ，４１ｂが操作されると、ターボ運転の動作を停止して、待機モードに遷移する。また、切タイマ機能が実行され、かつ、ターボ運転を実行している状態で、ターボ運転スイッチの操作部３７ｂ，４１ｂが操作されると、前の他のモードを実行する。
【００３１】
ここで、前記他のモードとは、通常運転モードを意味しており、その中でも「静音」および「標準」のいずれか一方を意味する。即ち、マイコンは、ターボ運転モードに切り替えられた際に、その状態が「静音」運転、「標準」運転および待機モードのいずれであるかを記憶する。そして、「静音」運転または「標準」運転である場合、その運転モードに切り替える。一方、待機モードである場合には、通常運転モードである「静音」運転を実行するように構成している。
【００３２】
また、通常運転モードまたは特殊運転モードの実行中に、切タイマスイッチの操作部３７ｃ，４１ｃが操作されると、停止時間Ｔ２（２時間）が経過した後に動作を停止させる切タイマ機能を実行する。また、この切タイマ機能の実行中に切タイマスイッチの操作部３７ｃ，４１ｃが操作されると、該切タイマ機能を停止する。
【００３３】
また、リモコン３９の操作部４１ｄが操作されるとマイナスイオン発生動作を実行する。また、このマイナスイオン機能の実行中に操作部４１ｄが操作されるとマイナスイオン発生動作を停止する。
【００３４】
次に、前記通常運転およびターボ運転における経時的な動作の遷移について説明する。
【００３５】
まず、通常運転モードの「静音」運転および「標準」運転は、切タイマ機能が実行されていない状態では、選択／切スイッチの操作部３７ａ，４１ａの操作により停止されるまで、または、ターボ運転スイッチの操作部３７ｂ，４１ｂの操作により動作を切り替えられるまで実行される。また、切タイマ機能が実行されている状態では、選択／切スイッチの操作部３７ａ，４１ａの操作により停止されるまで、または、ターボ運転スイッチの操作部３７ｂ，４１ｂの操作により動作を切り替えられるまで、または、切タイマ機能による停止時間Ｔ２が経過するまで実行される。
【００３６】
また、特殊運転モードのターボ運転は、切タイマ機能の実行状態に関係なく、予め設定された実行時間Ｔ１（５分）が経過するまで、または、選択／切スイッチの操作部３７ａ，４１ａの操作により停止されるまで、または、ターボ運転スイッチの操作部３７ｂ，４１ｂの操作により停止されるまで実行される。
【００３７】
即ち、本実施形態では、切タイマ機能が実行されている状態では、通常運転モードからターボ運転モードへの動作変更、および、ターボ運転モードから通常運転モードへの動作変更を可能としている。そして、いずれの変更においても、切タイマ機能による停止時間Ｔ２は継続してカウントする。そして、ターボ運転の実行中において、停止時間Ｔ２が経過しても実行時間Ｔ１が経過していない場合には、その実行時間Ｔ１を継続してカウントし、実行時間Ｔ１が経過するまでターボ運転モードを実行する。また、ターボ運転の実行中において、その実行時間Ｔ１が経過しても停止時間Ｔ２が経過していない場合には、その停止時間Ｔ２を継続してカウントし、停止時間Ｔ２が経過するまで空調動作を他の通常運転モードに切り替えて実行するように構成している。
【００３８】
次に、切タイマ機能を実行した場合の通常運転およびターボ運転の経時的な動作の遷移について説明する。
【００３９】
図９（Ａ）に示すように、ユーザーが選択／切スイッチの操作部３７ａ，４１ａを操作すると、通常運転モードである「静音」運転または「標準」運転を実行する。ついで、切タイマスイッチの操作部３７ｃ，４１ｃが操作されると、切タイマ機能を実行し、停止時間Ｔ２のカウントを開始する。その後、停止時間Ｔ２が経過していない状態で、ターボ運転スイッチの操作部３７ｂ，４１ｂが操作されると、空調動作をターボ運転に切り替え、実行時間Ｔ１のカウントを開始する。そして、前記切タイマ機能の停止時間Ｔ２が経過した時点で、ターボ運転モードの実行時間Ｔ１が経過していない場合、この実行時間Ｔ１が経過するまでターボ運転モードを実行し、実行時間Ｔ１が経過した時点で空調動作を停止する。
【００４０】
また、図９（Ｂ）に示すように、ユーザーが選択／切スイッチの操作部３７ａ，４１ａを操作すると、通常運転モードである「静音」運転または「標準」運転を実行する。ついで、切タイマスイッチの操作部３７ｃ，４１ｃが操作されると、切タイマ機能を実行し、停止時間Ｔ２のカウントを開始する。その後、停止時間Ｔ２が経過していない状態で、ターボ運転スイッチの操作部３７ｂ，４１ｂが操作されると、空調動作をターボ運転に切り替え、実行時間Ｔ１のカウントを開始する。そして、前記ターボ運転モードの実行時間Ｔ１が経過した時点で、切タイマ機能のの停止時間Ｔ２が経過していない場合、この停止時間Ｔ２が経過するまでターボ運転モードを実行する前に実行されていた「静音」運転または「標準」運転を実行し、停止時間Ｔ２が経過した時点で空調動作を停止する。
【００４１】
また、図９（Ｃ）に示すように、ユーザーがターボ運転スイッチの操作部３７ｂ，４１ｂを操作すると、ターボ運転モードを実行し、実行時間Ｔ１のカウントを開始する。ついで、実行時間Ｔ１が経過していない時点で、切タイマスイッチの操作部３７ｃ，４１ｃが操作されると、切タイマ機能を実行し、停止時間Ｔ２のカウントを開始する。そして、前記ターボ運転モードの実行時間Ｔ１が経過した時点で、切タイマ機能の停止時間Ｔ２が経過していない場合、この停止時間Ｔ２が経過するまで通常運転モードの「静音」運転を実行し、停止時間Ｔ２が経過した時点で空調動作を停止する。
【００４２】
なお、ターボ運転の実行時間Ｔ１と切タイマ機能の停止時間Ｔ２とが同時にカウントアップした場合には、当然、その時点でターボ運転が停止する。
【００４３】
このように、本実施形態の空気清浄機１０では、動作の実行時間に制限を有する特殊運転モードであるターボ運転と、動作の停止時間を設定する切タイマ機能とを実行した場合、後にカウントアップする実行時間Ｔ１または停止時間Ｔ２まで空調動作を実行するため、ユーザーに違和感を感じさせることを防止し、希望に則した実行させることができる。
【００４４】
具体的には、切タイマ機能による停止時間Ｔ２が経過した時点で、ターボ運転モードの実行時間Ｔ１が経過していない場合、この実行時間Ｔ１が経過するまでターボ特殊運転モードを実行するため、予め設定された実行時間Ｔ１を行うことなく、ターボ運転が停止することを防止できる。また、ターボ運転モードの実行時間Ｔ１が経過した時点で、切タイマ機能による停止時間Ｔ２が経過していない場合、ターボ運転モードの実行前の他のモードを前記停止時間Ｔ２が経過するまで実行する。しかも、ターボ運転モードの実行前が待機モードの場合、切タイマ機能の停止時間Ｔ２が経過するまで、ターボ運転のように動作時に発する音が大きくはない通常運転モードの１つである「静音」運転を実行する。そのため、切タイマ機能のによる停止時間Ｔ２を行うことなく、空気清浄動作が停止することを防止できるとともに、大きな運転音が発し続けられることを防止できる。
【００４５】
また、切タイマ機能を実行していない状態では、通常運転モード専用の選択／切スイッチ、および、ターボ運転モード専用のターボ運転スイッチを操作することにより、直接的に動作を実行または停止することができるため、操作に係る利便性を向上することができる。
【００４６】
なお、本発明の空気調和機は、前記実施形態の構成に限定されるものではなく、種々の変更が可能である。
【００４７】
例えば、前記実施形態では、特殊運転モードであるターボ運転の実行中で、かつ、前記切タイマ機能の実行中に、ターボ運転モードの実行時間Ｔ１が経過した時点で、前記切タイマ機能による停止時間Ｔ２が経過していない場合、該停止時間Ｔ２が経過するまで他のモードである通常運転モードを実行させたが、図１０（Ａ），（Ｂ）に示すように、切タイマ機能による停止時間（Ｔ２）が経過するまで特殊運転モードであるターボ運転モードを継続して実行させてもよい。
【００４８】
また、前記実施形態では、切タイマ機能が実行されていない状態において、ターボ運転モードの実行中に、該ターボ運転モード専用の操作部３７ｂ，４１ｂが操作されると、動作を停止するようにしたが、該ターボ運転モードを継続するとともに、その実行時間Ｔ１をリセットして最初からカウントするようにしてもよい。この場合、切タイマ機能が実行されている状態でも、ターボ運転モード専用の操作部３７ｂ，４１ｂが操作されると、該ターボ運転モードを継続するとともに、その実行時間Ｔ１をリセットして最初からカウントする。このようにすれば、空調動作を停止することなく継続して実行することができるため、操作に係る利便性を向上することができる。
【００４９】
さらに、前記実施形態では、空気調和機の１つである空気清浄機１０を用いて説明したが、除湿機や加湿機などの他の空気調和機でも同様に適用し、同様の作用および効果を得ることができる。即ち、除湿機では、予め設定された実行時間Ｔ１のみ空調動作を行う特殊運転モードとして、ファン１７を高速の回転数で動作させて衣類などを乾燥させるため速乾運転モードを有するため、この除湿機にも同様にして適用することが可能である。
【００５０】
【発明の効果】
以上の説明から明らかなように、本発明の空気調和機では、動作の実行時間Ｔ１に制限を有する特殊運転モードと、動作の停止時間Ｔ２を設定する切タイマ機能とを実行した場合、後にカウントアップする実行時間Ｔ１または停止時間Ｔ２まで空調動作を実行するため、ユーザーに違和感を感じさせることを防止し、希望に則した実行をさせることができる。
【図面の簡単な説明】
【図１】本発明の実施形態に係る空気調和機である空気清浄機を示す斜視図である。
【図２】図１の後方斜視図である。
【図３】図１の要部断面図である。
【図４】ベースの背面図である。
【図５】表示パネルの正面図である。
【図６】操作パネルの平面図である。
【図７】リモコンの正面図である。
【図８】スイッチ操作による動作の遷移を示す概略図である。
【図９】（Ａ），（Ｂ），（Ｃ）はスイッチ操作による経時的な動作の遷移を示すタイムチャートである。
【図１０】（Ａ），（Ｂ）はスイッチ操作による経時的な動作の遷移の変形例を示すタイムチャートである。
【符号の説明】
１０…空気清浄機（空気調和機）    １１…ケーシング
１６…清浄フィルタ                １７…ファン
２４…表示パネル                  ３６…操作パネル
３７ａ〜３７ｃ…操作部            ４２…制御基板
【図１】
2004354018.tif 000003
【図２】
2004354018.tif 000004
【図３】
2004354018.tif 000005
【図４】
2004354018.tif 000006
【図５】
2004354018.tif 000007
【図６】
2004354018.tif 000008
【図７】
2004354018.tif 000009
【図８】
2004354018.tif 000010
【図９】
2004354018.tif 000011
【図１０】
2004354018.tif 000012